(57)【特許請求の範囲】
【請求項１】
互いに対向して形成された一対の突出部（１ｃ）を有する絶縁電線（１）の導体（１ａ）に交番電流を流した際に発生する磁界を検出して、導体に異常が生じているか否かを判別する装置であって、絶縁電線が挿通される電線挿通穴（ｈ）を有する支持具（Ｓ）と、該支持具における電線挿通穴の近傍に配され交番電流を流した際に発生する磁界を検出する磁界センサ（２）と、前記電線挿通穴の内壁に円周方向に間隔を空けて配され挿通状態の絶縁電線の表面に歯車状の歯部（１２）を接触または近接させることにより絶縁電線の位置を設定する複数の位置決めローラ（１１）とを具備し、
前記支持具には、前記複数の位置決めローラが絶縁電線の挿通方向に平行に配した回転軸（１４）により回転可能に取り付けられており、前記位置決めローラ（１１）の外周部には、歯車状の歯部（１２）及び凹部（１３）が交互に形成されており、前記凹部は、前記絶縁電線の突出部を収容し得る大きさに形成されており、前記複数の位置決めローラ（１１）は、電線挿通穴（ｈ）の内壁における円周方向の１８０度離れた位置に、外周部を対向させた状態に配されている、少なくとも一対の位置決めローラを含むことを特徴とする絶縁電線の欠陥検出装置。
【請求項２】
請求項１に記載の絶縁電線の欠陥検出装置を用いて、互いに対向して形成された一対の突出部（１ｃ）を有する絶縁電線（１）の導体（１ａ）に交番電流を流した際に発生する磁界を検出して、導体に異常が生じているか否かを判別する方法であって、絶縁電線の回りに、複数の位置決めローラ（１１）における外周部の歯部（１２）を対向状態に配して、絶縁電線の表面に前記歯部を接触または近接させて絶縁電線の位置を設定するとともに、前記突出部と前記歯部との接触により位置決めローラを回転させて、絶縁電線の表面に設けられている突出部（１ｃ）を、位置決めローラの外周部の凹部（１３）に逃すことにより、絶縁電線における導体の位置の変動を抑制した状態で磁界の検出を行なうことを特徴とする絶縁電線の欠陥検出方法。
【発明の詳細な説明】
【０００１】
【発明の属する技術分野】
本発明は、絶縁電線の欠陥検出装置および欠陥検出方法に係り、特に、架空配電線等の絶縁電線における導体の応力腐食割れや素線切れ等に基づく欠陥部を、高い精度で検出する技術に関するものである。
【０００２】
【従来の技術】
架空配電線等の絶縁電線における導体部分に、応力腐食割れや素線切れ等に基づく欠陥部が生じているか否かを検出する技術として、図４に示すように、絶縁電線１の回りに例えば２個の磁界センサ（サーチコイル）２を１８０度間隔で配して、絶縁電線１に流れる負荷電流によって生じる磁界を検出するとともに、該磁界センサ２の出力を、ローパスフィルタ３，プリアンプ４を経由して差動増幅器５に送り込み、差電圧を別のローパスフィルタ６を経由して電圧計等に出力して計測を行なう方法が知られている。
【０００３】
【発明が解決しようとする課題】
しかし、２個の磁界センサ２で絶縁電線１の磁界を検出した場合、図５に示すように、２個の磁界センサ２が導体１ａの中心に対して等距離に配されている場合には、導体１ａの異常を正確に検出することができるものの、図６に示すように、絶縁電線１に対して２個の磁界センサ２が片寄って配されている場合、あるいは、図７に示すように、絶縁被覆１ｂの表面に有する突条部（ヒレ）等の突出部１ｃが、磁界センサ２を支持している支持構造物Ｓの穴ｈの内壁面に接触することにより、絶縁電線１に片寄りが生じる場合等であると、導体１ａの欠陥の有無に関係なく２個の磁界センサ２の差電圧（Ｖ2 −Ｖ1 ）が出力されてしまうため、異常の有無の判別精度が損なわれてしまう。
【０００４】
本発明は、上述の事情に鑑みてなされたもので、以下の目的を達成するものである。
▲１▼絶縁電線の絶縁被覆に、突条部等の突出部が設けられている場合における検出誤差の発生を低減すること。
▲２▼素線断線等の欠陥部の検出感度を向上させること。
【０００５】
【課題を解決するための手段】
互いに対向して形成された一対の突出部を有する絶縁電線の導体に交番電流を流した際に発生する磁界を検出して、導体に異常が生じているか否かを判別する場合に、絶縁電線の回りに、複数の位置決めローラにおける外周部の歯部を対向状態に配して、絶縁電線の表面に位置決めローラの歯車状の歯部を接触または近接させて絶縁電線の位置を設定するとともに、前記突出部と前記歯部との接触により位置決めローラを回転させて、絶縁電線の表面に設けられている突出部を、位置決めローラの外周面の凹部に逃すことにより、絶縁電線における導体の位置の変動を抑制する技術が採用される。交番電流による磁界を検出する手段として磁界センサが配され、該磁界センサが電線挿通穴を有する支持具に取り付けられ、該支持具に、外周部に歯部を有する複数の位置決めローラが、電線挿通穴の内壁に円周方向に間隔を空けて、１８０度離れた位置等に、外周面を対向させた状態に配される。
【０００６】
【発明の実施の形態】
以下、本発明に係る絶縁電線の欠陥検出方法およびその装置の一実施形態について、図１ないし図３を参照して説明する。
図１ないし図３において、符号２は磁界センサ、Ｓは支持具、ｈは電線挿通穴、１１は位置決めローラ、１２は歯部、１３は凹部、１４は回転軸を示している。
【０００７】
前記磁界センサ２は、例えばボビンに細線を密巻きしたものであり、巻き数，巻き径，寸法等が同一特性であるもの（同型のもの）が２個組み合わせて用いられる。
該磁界センサ２は、支持具Ｓにおける電線挿通穴ｈの内壁の近傍に内向状態に配され、図１に示すように、その１組のものが、電線挿通穴ｈに挿入される絶縁電線１の円周方向に１８０度離れた状態に対向配置されている。
なお、磁界センサ２の出力信号は、前述した図４に示す検出回路および方法を適用することにより処理される。
【０００８】
前記支持具Ｓには、一対をなす磁界センサ２に加えて、例えば３個の位置決めローラ１１が、その外周部を電線挿通穴ｈの内壁面から突出させた状態に、絶縁電線１の挿通方向に平行に配した回転軸１４により回転可能に取り付けられている。
【０００９】
前記位置決めローラ１１は、図２等に示すように、外周部が歯車状とされて、歯部１２及び凹部１３を有するものが採用される。
該位置決めローラ１１は、少なくとも一対のものが、電線挿通穴ｈの内壁面に対して突出した状態に配されるとともに、その位置が磁界センサ２に対して絶縁電線１の挿通方向に隣合わせで並べた状態となるように設定され、図１例においては、電線挿通穴ｈにおける円弧状内面ｃにも配されている。
【００１０】
さらに、位置決めローラ１１は、その歯部１２が絶縁電線１の表面に対して接触または近接状態となるように設定されるとともに、凹部１３が、絶縁電線１の突出部１ｃを収容し得る大きさに形成されている。
なお、突出部１ｃは、突条のものが絶縁被覆１ｂと一体に長手方向に沿って形成され、その大きさが、図３におけるＬ，Ｈ寸法が１ｍｍ程度で、曲率Ｒａ，Ｒｂが０．３〜０．４ｍｍ程度である。
【００１１】
したがって、図１に示すように、絶縁電線１を支持具Ｓの電線挿通穴ｈに挿通させると、絶縁電線１の表面に位置決めローラ１１の歯部１２が接触または近接状態となることにより、絶縁電線１と磁界センサ２との位置設定が正確に行なわれ、磁界センサ２の検出値に有意義な差が生じているか否かにより、導体１ａにおける応力腐食割れや素線切れ等の欠陥部の有無が判別される。
【００１２】
一方、絶縁電線１及び支持具Ｓの間で相対的な回転が生じて、絶縁電線１の突出部１ｃが位置決めローラ１１に接触すると、突出部１ｃ等と歯部１２との接触により位置決めローラ１１が回転して、図２に示すように、突出部１ｃ等が凹部１３に収容された退避状態となる。この際にも絶縁電線１の導体１ａと磁界センサ２との相対位置のずれが生じることがなく、導体１ａに欠陥部が生じているか否かを誤差なく検出することができる。
【００１３】
【発明の効果】
本発明に係る絶縁電線の欠陥検出方法およびその装置によれば、磁界センサに位置決めローラを並べて配置し、磁界センサと絶縁電線の表面とを接触または近接状態として、導体の異常の有無を判別するものであるから、以下のような効果を奏する。
（１）  位置決めローラで絶縁電線の位置を設定することにより、導体の欠陥部の検出精度を向上させることができる。
（２）  位置決めローラに凹部を設けて、絶縁電線における突条部等の突出部を退避させることにより、絶縁電線の絶縁被覆に、突条部が設けられている場合や局部的な突出部が形成されている場合における検出誤差の発生を低減することができる。
（３）  位置決めローラを回転させることにより、絶縁電線の挿通を円滑にして、異常の検出作業性を向上させることができる。
【図面の簡単な説明】
【図１】  本発明に係る絶縁電線の欠陥検出方法およびその装置の一実施形態を示す正面図である。
【図２】  図１における位置決めローラの歯部と絶縁電線の突出部との係合状況を示す正面図である。
【図３】  図２における絶縁電線の突出部の拡大図である。
【図４】  絶縁電線の欠陥部検出方法の従来技術を示す結線図である。
【図５】  図４の磁界センサと絶縁電線との配置状況を示す正面図である。
【図６】  図５の磁界センサが絶縁電線に対して片寄った場合の検出状況を示す正面図である。
【図７】  図５の絶縁電線が支持構造物の穴内で片寄った場合の検出状況を示す正面図である。
【符号の説明】
１  絶縁電線
１ａ  導体
１ｂ  絶縁被覆
１ｃ  突出部
２  磁界センサ（サーチコイル）
３  ローパスフィルタ
４  プリアンプ
５  差動増幅器
６  ローパスフィルタ
Ｓ  支持具
ｈ  電線挿通穴
ｃ  円弧状内面
１１  位置決めローラ
１２  歯部
１３  凹部
１４  回転軸
【図１】
0003720144.tif 000002
【図２】
0003720144.tif 000003
【図３】
0003720144.tif 000004
【図４】
0003720144.tif 000005
【図５】
0003720144.tif 000006
【図６】
0003720144.tif 000007
【図７】
0003720144.tif 000008